(57)【要約】      （修正有）【課題】運ぶ際にユーザが両手を自由に使用することができる保冷温リュックサックを提供する。【解決手段】底面、及び、底面から立ち上がり上向きに開口する周壁、を有する断熱性の収納部と、周壁の開口縁を開閉自在に覆う蓋５と、周壁の外面に取り付けられた一対の肩紐７と、を具備するリュックサック型の保冷温バッグ１であって、背負った状態において、蓋が、背面側から正面側に向かって傾斜している構造を有する。周壁は、底面の略全面を露出させるように開口している。保冷温バッグは、一対の肩紐同士を係脱自在に連結する連結具を更に有してもよい。【選択図】図４
0003226739.tif 000002
【実用新案登録請求の範囲】
【請求項１】
底面、及び、前記底面から立ち上がり上向きに開口する周壁、を有する断熱性の収納部と、
前記周壁の開口縁を開閉自在に覆う蓋と、
前記周壁の外面に取り付けられた一対の肩紐と、
を具備するリュックサック型の保冷温バッグであって、
背負った状態において、前記蓋が、背面側から正面側に向かって傾斜している構造を有すること、
を特徴とする保冷温バッグ。
【請求項２】
前記周壁は、前記底面の略全面を露出させるように開口すること、
を特徴とする請求項１に記載の保冷温バッグ。
【請求項３】
前記一対の肩紐同士を係脱自在に連結する連結具を更に有すること、
を特徴とする請求項１又は２に記載の保冷温バッグ。
【考案の詳細な説明】
【技術分野】
【０００１】
本考案は、収納物を保冷及び保温することが可能なリュックサック型の保冷温バッグに関する。
【背景技術】
【０００２】
スーパーマーケット等での買物に用いるバッグとして、上面が開口するバッグ本体と、バッグ本体の開口縁に止着される筒状布（又は巾着部）とから成り、バッグ本体に手提げが取付けられ、筒状布（巾着部）の開放縁には紐通し部が形成され、この紐通し部に筒状布（巾着部）の開放縁を締めて閉じる締め紐を挿通した手提げバッグが知られている（例えば特許文献１）。
【先行技術文献】
【特許文献】
【０００３】
【特許文献１】特開２００１−８７０２２号号公報
【考案の概要】
【考案が解決しようとする課題】
【０００４】
しかし、ユーザは、この手提げバッグを持ち運ぶ際、少なくとも一方の手を使用する必要があり、両手を自由に使えるわけではない。
【０００５】
そこで、本考案の目的は、運ぶ際にユーザが両手を自由に使用することができるリュックサック型の保冷温バッグを提供することにある。
【課題を解決するための手段】
【０００６】
上記の課題を解決すべく、本考案は、
底面、及び、前記底面から立ち上がり上向きに開口する周壁、を有する断熱性の収納部と、
前記周壁の開口縁を開閉自在に覆う蓋と、
前記周壁の外面に取り付けられた一対の肩紐と、
を具備するリュックサック型の保冷温バッグであって、
背負った状態において、前記蓋が、背面側から正面側に向かって傾斜している構造を有すること、
を特徴とする保冷温バッグを提供する。
【０００７】
また、本考案の保冷温リュックサックでは、前記周壁は、前記底面の略全面を露出させるように開口すること、が好ましい。
【０００８】
また、本考案の保冷温リュックサックは、前記一対の肩紐同士を係脱自在に連結する連結具を更に有すること、が好ましい。
【考案の効果】
【０００９】
上記のような構成の本考案によれば、保冷温リュックサックを運ぶ際にユーザが両手を自由に使用することができる。したがって、ユーザは保冷温リュックサックを運びながら両手で作業を行うことができ、便利である。
【図面の簡単な説明】
【００１０】
【図１】本実施形態に係る保冷温リュックサック１の正面図である。
【図２】保冷温リュックサック１の右側面図である。
【図３】保冷温リュックサック１の背面図である。
【図４】カバーを開いた状態の保冷温リュックサック１の正面図である。
【図５】カバーを開いた状態の保冷温リュックサック１の右側面図である。
【考案を実施するための形態】
【００１１】
以下、本考案に係るリュックサック型の保冷温バッグ（即ち保冷温リュックサック）の一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１２】
保冷温リュックサック１は、図１及び図２に示すように、本体３、蓋５及び肩紐７を有する。保冷温リュックサック１は、把持部９を有していてもよい。保冷温リュックサック１は、全体として、スーパーマーケット等の小売店で利用される買物カゴに収まるほどの寸法であることが好ましい。
【００１３】
本体３は、底面及び周壁を有し、内部に収納空間Ｓを有する（図４参照）。本体３（周壁）は、上方に向けて開口しており、好ましくは本体３の上面のほぼ全面が開口するとよい。あるいは、本体３の周壁が、底面の略全面を露出させるように開口していると言ってもよい。上面には蓋５が位置する。
【００１４】
本体３は、アルミ蒸着層及び断熱材層を含む層構造をなし、保冷機能を備えている。ここで、保冷機能は保温機能を含むものとする。また、断熱材は、例えばウレタンなど、クッション性を兼ね備える素材であることが好ましい。断熱材の量ないしは厚みは、部位に応じて変更してもよく、例えば、底面の断熱材を周壁の断熱材よりも厚く、かつ硬くしてもよい。
【００１５】
本体３の外表面には、撥水加工が施されていてもよい。また、本体３は、周壁に、スライドファスナ３５によって開閉されるポケット３３を有していてもよい。
【００１６】
蓋５は、図１及び図４に示すように、本体３の上面において開口を開閉自在に覆う。蓋５は、本体３の上面の縁をなす辺４１に取り付けられ、残りの辺４３はファスナ３１によって開閉される。つまり、ファスナ３１は略コ字状又は略Ｃ字状に設けられている。
【００１７】
そして、この蓋５は、保冷温リュックサック１を背負った状態において、背面側（肩紐７が取り付けられている側）から正面側に向かって傾斜しているのが特徴である（図２参照）。したがって、蓋５は、辺４１を中心に回動することができ、大きく開くことができる。そのため、収納物を出し入れしやすい。
【００１８】
蓋５は、アルミ蒸着層及び断熱材層を含む層構造をなし保冷機能を備えていてもよい。また、蓋５の外表面には、撥水加工が施されている。
【００１９】
図３に示すように、本体３の背面には、一対の肩紐７が取り付けられている。したがって、ユーザは、保冷温リュックサック１を背負うことができ、両手を空けつつ収納物を運ぶことができる。肩紐７にはウレタンなどのクッション材が内蔵されていてもよい。
【００２０】
一対の肩紐７には、それぞれ、連結具としての補助ベルト７１，７３が付いている。補助ベルト７１，７３は、一対の肩紐７同士を着脱自在に連結するものであり、連結により肩紐７がずれにくくなる。
【００２１】
上述した保冷温リュックサック１を用いることで、ユーザは、両手を空けた状態で買い物を楽に楽しんだり、作業をしたりすることができる。また、小売店の買い物かごに収まる寸法であることで、保冷温リュックサック１の利便性が増す。更に、保冷温リュックサック１は、レジャー及びアウトドアにも便利である。
【００２２】
以上、本考案の代表的な実施形態について説明したが、本考案はこれらに限定されるものではなく、種々の設計変更が可能であり、それらも本考案に含まれる。
【符号の説明】
【００２３】
１・・・保冷温リュックサック
３・・・本体
５・・・蓋
７・・・肩紐
３１・・・ファスナ
【図１】
0003226739.tif 000003
【図２】
0003226739.tif 000004
【図３】
0003226739.tif 000005
【図４】
0003226739.tif 000006
【図５】
0003226739.tif 000007